(57)【要約】【課題】各種電子機器に使用される開閉装置に関し、開閉操作が確実で、良好な操作感触のものを提供することを目的とする。【解決手段】可動ケース１５外側面とストッパ８の間に、可動ケース１５に保持された摺動部材１９を設けることによって、開閉操作時のストッパ８との弾接摺動が、可動ケース１５ではなく摺動部材１９との間で行われるため、可動ケース１５外側面の磨耗を防ぎ、開閉操作が確実で、良好な操作感触の開閉装置を得ることができる。【選択図】図１
2007271008.tif 000002
【特許請求の範囲】
【請求項１】
側面に固定カムが設けられた固定体と、この固定体に対し回転可能に配置されると共に、上記固定カムに弾接する可動カムが設けられた可動体と、これらを収納した略円筒状の可動ケースと、一端に上記固定体が固着され、他端が上記可動ケース外側面から回転可能に突出した固定軸と、この固定軸他端に固着され、固定軸を上記可動ケースに係止するストッパからなり、上記可動ケース外側面と上記ストッパの間に、可動ケースに保持された摺動部材を設けた開閉装置。
【発明の詳細な説明】
【技術分野】
【０００１】
本発明は、携帯電話やパーソナルコンピュータ等の、各種電子機器に使用される開閉装置に関するものである。
【背景技術】
【０００２】
近年、携帯電話やパーソナルコンピュータ等の電子機器の小型化や軽量化が進むなか、固定筐体に対し可動筐体が開閉可能に装着された、所謂、折畳み式のものが増えており、これらに用いられる開閉装置においても、開閉操作が確実で、滑らかな操作の可能なものが求められている。
【０００３】
このような従来の開閉装置について、図５〜図７を用いて説明する。
【０００４】
なお、これらの図面の内、断面図は固定カムと可動カムの関係を判り易くするため、径方向を拡大して表わしている。
【０００５】
図６は従来の開閉装置の断面図、図７は同分解斜視図であり、同図において、１は左側面に固定部１Ａが形成された略円筒状で金属製の固定体で、この右側面外周には、突出部２Ａ、及びこの突出部２Ａから上下へ延出する二つの傾斜部２Ｂ、２Ｃから形成された固定カム２が設けられている。
【０００６】
そして、３は同じく略円筒状で金属製の可動体で、固定体１に対し開閉方向へ回転可能に、かつ軸線方向へ移動可能に配置されると共に、固定カム２との対向面である左側面外周には一対の可動カム４が設けられている。
【０００７】
また、５は略円筒状で金属製の可動ケース、６はコイル状のばねで、この可動ケース５内に固定体１や可動体３が収納されると共に、可動体３右側面と可動ケース５内側面の間には、ばね６がやや撓んだ状態で装着され、このばね６によって可動体３が左方向へ付勢され、可動カム４の先端が固定カム２の傾斜部２Ｂへ弾接している。
【０００８】
さらに、７は略円柱状の固定軸で、この固定軸７の左端部に固定体１が固着されて、固定部１Ａが可動ケース５左側面から回転可能に突出すると共に、固定軸７の右端部は可動体３の中空部やばね６を挿通し、可動ケース５外側面から回転可能に突出している。
【０００９】
そして、この固定軸７の右端部に略リング状で金属製のストッパ８が固着され、固定軸７が可動ケース５に係止されて、開閉装置１０が構成されている。
【００１０】
また、このように構成された開閉装置１０は、例えば、図５の携帯電話の斜視図に示すように、固定体１の固定部１Ａが上面に複数のキーからなる操作部２２Ａやマイクロフォン等の音声入力部２２Ｂが形成された固定筐体２２へ、可動ケース５が表面にＬＣＤ等の表示部２３Ａやスピーカ等の音声出力部２３Ｂが形成された可動筐体２３へ各々装着され、開閉装置１０によって固定筐体２２に対して可動筐体２３が開閉可能に軸支されて電子機器が構成される。
【００１１】
以上の構成において、図６に示したように、可動カム４の先端が固定カム２下側の傾斜部２Ｂへ弾接した状態では、可動体３がばね６によって下方向の閉方向へ付勢されているため、可動ケース５が装着された可動筐体２３は、固定筐体２２に対して閉じた状態で保持されている。
【００１２】
そして、この閉状態から、可動筐体２３を手で開くと、可動筐体２３に装着固定された可動ケース５が回転し、可動体３が可動ケース５内を軸線方向へ移動しながら回転して、可動カム４先端が固定カム２の突出部２Ａを超えて上側の傾斜部２Ｃへ弾接し、可動体３が開方向へ付勢されるため、この力によって可動筐体２３に開く方向の力が加わり、可動筐体２３が固定筐体２２に対して所定角度に開いた状態となる。
【００１３】
つまり、可動筐体２３に装着された可動ケース５を回転させることによって、ばね６に付勢された可動体３を軸線方向へ移動させ、可動カム４先端を固定カム２の傾斜部２Ｂまたは２Ｃのいずれかへ弾接させて、固定筐体２２に対する可動筐体２３の開閉操作が行われるように構成されている。
【００１４】
なお、固定軸７を可動ケース５に係止するために、固定軸７の右端部に固着されたストッパ８には、ばね６によって付勢された可動体３の可動カム４が固定カム２に弾接した固定体１、及びこの固定体１が固着された固定軸７を介して、左方向への力がはたらくため、ストッパ８の左側面は可動ケース５外側面に弾接している。
【００１５】
したがって、上述のような開閉操作を行った際には、可動カム４と固定カム２間に加え、ストッパ８左側面と可動ケース５外側面との間にも摩擦が生じ、これらが弾接摺動しながら回転が行われる。
【００１６】
そして、可動ケース５もストッパ８も金属製ではあるが、プレス加工等によって比較的硬い金属板等から製作が可能なストッパ８に比べ、可動ケース５は略円筒状の形状をしており、一般には比較的軟らかな金属を絞り加工等によって製作しているため、開閉操作が繰り返された場合、ストッパ８の弾接摺動によって、可動ケース５外側面の方に磨耗が生じ易いものであった。
【００１７】
なお、この出願の発明に関連する先行技術文献情報としては、例えば、特許文献１が知られている。
【特許文献１】特開２００５−３４６９９２号公報
【発明の開示】
【発明が解決しようとする課題】
【００１８】
しかしながら、上記従来の開閉装置においては、固定軸７の右端部に固着されたストッパ８が、ばね６によって可動ケース５外側面に弾接しているため、開閉操作が長期間繰り返された場合、ストッパ８との弾接摺動によって、可動ケース５外側面に磨耗が生じ、これが甚だしくなると引っ掛かり感が発生し、滑らかな操作感触が損なわれてしまうという課題があった。
【００１９】
本発明は、このような従来の課題を解決するものであり、開閉操作が確実で、良好な操作感触の開閉装置を提供することを目的とする。
【課題を解決するための手段】
【００２０】
上記目的を達成するために本発明は、可動ケース外側面とストッパの間に、可動ケースに保持された摺動部材を設けて開閉装置を構成したものであり、開閉操作時のストッパとの弾接摺動が、可動ケースではなく摺動部材との間で行われるため、可動ケース外側面の磨耗を防ぎ、開閉操作が確実で、良好な操作感触の開閉装置を得ることができるという作用を有する。
【発明の効果】
【００２１】
以上のように本発明によれば、開閉操作が確実で、良好な操作感触の開閉装置を実現することができるという有利な効果が得られる。
【発明を実施するための最良の形態】
【００２２】
以下、本発明の実施の形態について、図１〜図５を用いて説明する。
【００２３】
なお、これらの図面の内、断面図は固定カムと可動カムの関係を判り易くするため、径方向を拡大して表わしている。
【００２４】
また、背景技術の項で説明した構成と同一構成の部分には同一符号を付して、詳細な説明を簡略化する。
【００２５】
（実施の形態）
図１は本発明の一実施の形態による開閉装置の断面図、図２は同分解斜視図であり、同図において、１は左側面に固定部１Ａが形成された略円筒状で鋼や銅合金、焼結合金等の金属製の固定体で、この右側面外周には、突出部２Ａ、及びこの突出部２Ａから上下へ延出する二つの傾斜部２Ｂ、２Ｃから形成された、一対の固定カム２が対称に設けられている。
【００２６】
そして、３は同じく略円筒状で金属製の可動体で、固定体１に対し開閉方向へ回転可能に、かつ軸線方向へ移動可能に配置されると共に、固定カム２との対向面である左側面外周には、一対の可動カム４が対称に設けられている。
【００２７】
また、１５は略円筒状で金属製の可動ケース、６はコイル状で鋼線製のばねで、この可動ケース１５内に固定体１や可動体３が収納されると共に、可動体３右側面と可動ケース１５内側面の間に、ばね６がやや撓んだ状態で装着され、このばね６によって可動体３が左方向へ付勢されて、可動カム４の先端が固定カム２の傾斜部２Ｂへ弾接している。
【００２８】
さらに、７は略円柱状の固定軸で、この固定軸７の左端部に固定体１が固着されて、固定部１Ａが可動ケース１５左側面から回転可能に突出すると共に、固定軸７の右端部は可動体３の中空部やばね６を挿通し、可動ケース１５外側面から回転可能に突出している。
【００２９】
そして、８は略リング状でステンレス鋼等の金属製のストッパ、１９は同じく略リング状でストッパ８よりも大きな直径の摺動部材で、ストッパ８が固定軸７の右端部に固着されて、固定軸７が可動ケース１５に係止されると共に、ストッパ８と可動ケース１５外側面との間には、略円柱状の突出部１５Ａに複数の通孔１９Ａが挿入され、可動ケース１５に保持された摺動部材１９が設けられて、開閉装置２０が構成されている。
【００３０】
また、このように構成された開閉装置２０は、例えば、図５の携帯電話の斜視図に示すように、固定体１の固定部１Ａが上面に複数のキーからなる操作部２２Ａやマイクロフォン等の音声入力部２２Ｂが形成された固定筐体２２へ、可動ケース１５が表面にＬＣＤ等の表示部２３Ａやスピーカ等の音声出力部２３Ｂが形成された可動筐体２３へ各々装着され、開閉装置２０によって固定筐体２２に対して可動筐体２３が開閉可能に軸支されて電子機器が構成される。
【００３１】
以上の構成において、図１に示したように、可動カム４の先端が固定カム２下側の傾斜部２Ｂへ弾接した状態では、可動体３がばね６によって下方向の閉方向へ付勢されているため、可動ケース１５が装着された可動筐体２３は、固定筐体２２に対して閉じた状態で保持されている。
【００３２】
そして、この閉状態から、可動筐体２３を手で開くと、可動筐体２３に装着固定された可動ケース１５が回転し、可動体３が可動ケース１５内を軸線方向へ移動しながら回転して、可動カム４先端が固定カム２の突出部２Ａを超えて上側の傾斜部２Ｃへ弾接し、可動体３が開方向へ付勢されるため、この力によって可動筐体２３に開く方向の力が加わり、可動筐体２３が固定筐体２２に対して所定角度に開いた状態となる。
【００３３】
つまり、可動筐体２３に装着された可動ケース１５を回転させることによって、可動体３を軸線方向へ移動させ、ばね６に付勢された可動カム４先端を、固定カム２の傾斜部２Ｂまたは２Ｃのいずれかへ弾接させて、固定筐体２２に対する可動筐体２３の開閉操作が行われように構成されている。
【００３４】
そして、この時、固定軸７を可動ケース１５に係止するために、固定軸７の右端部に固着されたストッパ８には、ばね６によって付勢された可動体３の可動カム４が固定カム２に弾接した固定体１、及びこの固定体１が固着された固定軸７を介して、左方向への力がはたらくが、可動ケース１５外側面との間には摺動部材１９が設けられているため、ストッパ８はこの摺動部材１９に弾接している。
【００３５】
また、摺動部材１９は通孔１９Ａが突出部１５Ａに挿入され、可動ケース１５に保持されているため、上述のような開閉操作を行った際には、摺動部材１９が可動ケース１５と共に回転し、摺動部材１９右側面とストッパ８左側面との間で弾接摺動が行われる。
【００３６】
そして、この摺動部材１９は、直径は大きいが形状は略リング状で、ストッパ８と類似した形状となっているため、ステンレス鋼等の同じ硬さの金属材料を用いることができると共に、ストッパ８と同様にこれらの金属板をプレス加工等によって製作することができる。
【００３７】
したがって、開閉操作の際には、この同じ硬さで同じ材料の、摺動部材１９とストッパ８との間で弾接摺動が行われ、比較的軟らかな材料から形成された可動ケース１５には摩擦や磨耗は生じないため、開閉操作を長期間繰り返した場合でも、摺動部材１９とストッパ８が均等に磨耗し、引っ掛かり感等がなく滑らかで、良好な操作感触で確実に開閉操作が行えるようになっている。
【００３８】
このように本実施の形態によれば、可動ケース１５外側面とストッパ８の間に、可動ケース１５に保持された摺動部材１９を設けることによって、開閉操作時のストッパ８との弾接摺動が、可動ケース１５ではなく摺動部材１９との間で行われるため、可動ケース１５外側面の磨耗を防ぎ、開閉操作が確実で、良好な操作感触の開閉装置を得ることができるものである。
【００３９】
なお、以上の説明では、通孔１９Ａに突出部１５Ａを挿入させて、可動ケース１５へ摺動部材１９を保持した構成について説明したが、図３の断面図に示すように、摺動部材２１をストッパ８と同じ直径に形成すると共に、外周を可動ケース１５の方向へ折曲し、この折曲部２１Ａの角によって、可動ケース１５外側面に摺動部材２１を保持する構成としても、本発明の実施は可能である。
【００４０】
さらに、図４の断面図に示すように、ストッパ８と同じ直径の摺動部材２５の右側面に溝部２５Ａを設け、この溝部２５Ａ内に潤滑剤等を塗布することによって、ストッパ８との摩擦を減らし、摺動部材２５が可動ケース１５と共に回転するように構成してもよい。
【産業上の利用可能性】
【００４１】
本発明による開閉装置は、開閉操作が確実で、良好な操作感触のものを得ることができ、各種電子機器に使用される開閉装置として有用である。
【図面の簡単な説明】
【００４２】
【図１】本発明の一実施の形態による開閉装置の断面図
【図２】同分解斜視図
【図３】同他の実施の形態による断面図
【図４】同他の実施の形態による断面図
【図５】携帯電話の斜視図
【図６】従来の開閉装置の断面図
【図７】同分解斜視図
【符号の説明】
【００４３】
１  固定体
１Ａ  固定部
２  固定カム
２Ａ  突出部
２Ｂ，２Ｃ  傾斜部
３  可動体
４  可動カム
６  ばね
７  固定軸
８  ストッパ
１５  可動ケース
１５Ａ  突出部
１９、２１、２５  摺動部材
１９Ａ  通孔
２０  開閉装置
２１Ａ  折曲部
２２  固定筐体
２２Ａ  操作部
２２Ｂ  音声入力部
２３  可動筐体
２３Ａ  表示部
２３Ｂ  音声出力部
２５Ａ  溝部
【図１】
2007271008.tif 000003
【図２】
2007271008.tif 000004
【図３】
2007271008.tif 000005
【図４】
2007271008.tif 000006
【図５】
2007271008.tif 000007
【図６】
2007271008.tif 000008
【図７】
2007271008.tif 000009